(57)【要約】【課題】複数の部品で構成さていても、お手入れ性とかお掃除性が向上することができることを目的とする。【解決手段】外部１に向かって開口した挿入口２から手３を抜き差しできるフランジ４を有した乾燥室５と、乾燥室５の底部６にドレン容器７を設けた水受け部８と、水受け部８に向けて空気を送出するノズル部９と、ノズル部９から空気を送出するファンモータ１０と、フロントパネル１１とを備えた手乾燥装置であって、乾燥室５と、フロントパネル１１と、水受け部８との３部品で外観が構成されたことにより、複数の部品で構成されていても、お手入れ性とかお掃除性が向上することができる手乾燥装置を提供できる。【選択図】図１
2011019734.tif 000002
【特許請求の範囲】
【請求項１】
外部に向かって開口した挿入口から手を抜き差しできるフランジを有した乾燥室と、前記乾燥室の底部にドレン容器を設けた水受け部と、前記水受け部に向けて空気を送出するノズル部と、前記ノズル部から空気を送出するファンモータと、フロントパネルとを備えた手乾燥装置であって、前記乾燥室と、前記フロントパネルと、前記水受け部との３部品で外観が構成されたことを特徴とする手乾燥装置。
【請求項２】
乾燥室の開口の両側面を、奥側から手前側に下向きに傾斜させたことを特徴とする請求項１記載の手乾燥装置。
【請求項３】
乾燥室の開口の両側面を、中央が凸状に形成されていることを特徴とする請求項１または２記載の手乾燥装置。
【請求項４】
開口の少なくとも両側面と前面を、乾燥室の奥側に向かって傾斜させた傾斜部を設けたことを特徴とする請求項１〜３のいずれかに記載の手乾燥装置。
【請求項５】
前面の傾斜部を、少なくとも両側面の傾斜部に対して緩やかにしたことを特徴とする請求項４記載の手乾燥装置。
【請求項６】
乾燥室の両側面および前面側のフランジの高さを、同一の高さに形成したことを特徴とする請求項１〜５のいずれかに記載の手乾燥装置。
【請求項７】
ノズル部の手前側に、前記ノズル部を覆うようなノズルカバーを設けたことを特徴とする請求項１記載の手乾燥装置。
【請求項８】
乾燥室の背面に凸部を設け、前記凸部を壁面に設けた凹部を有したリアケースに引っ掛けて固定することを特徴とする請求項１〜６のいずれかに記載の手乾燥装置。
【請求項９】
乾燥室の背面に金属性の補強板を設け、リアケースにねじ穴を設けたことを特徴とする請求項８記載の手乾燥装置。
【請求項１０】
リアケースに、落下防止部材を設けたことを特徴とする請求項８または９記載の手乾燥装置。
【請求項１１】
乾燥室をフロントパネルに重ね合わせた時に、フランジが前記フロントパネルの表面を覆う構成とした請求項１記載の手乾燥装置。
【請求項１２】
フロントパネルの底辺に、リアケースにねじで固定させる２箇所の固定部を設けたことを特徴とする請求項１記載の手乾燥装置。
【発明の詳細な説明】
【技術分野】
【０００１】
本発明は、洗面所やトイレなどで手を洗った後、濡れた手を乾燥させる手乾燥装置に関する。
【背景技術】
【０００２】
従来より、洗浄後の濡れた手を乾燥させる装置として、高速噴流を送出するためのファンモータを用いて、手を挿入して乾燥させるための乾燥室へノズルから高速空気流を噴出し、手に付着した水滴を吹き飛ばして乾燥させる、手乾燥装置が知られている（例えば、特許文献１参照）。
【先行技術文献】
【特許文献】
【０００３】
【特許文献１】特開２００９−０３９２７０号公報
【発明の概要】
【発明が解決しようとする課題】
【０００４】
このような従来の手乾燥装置では、複数の部品で構成さていたので、お手入れ性とかお掃除性が悪かったという課題がある。            
【０００５】
本発明は、このような従来の課題を解決するものであり、複数の部品で構成さていても、お手入れ性とかお掃除性が向上することができる手乾燥装置を提供することを目的とする。
【課題を解決するための手段】
【０００６】
本発明の手乾燥装置は、上記目的を達成するために、外部に向かって開口した挿入口から手を抜き差しできるフランジを有した乾燥室と、前記乾燥室の底部にドレン容器を設けた水受け部と、前記水受け部に向けて空気を送出するノズル部と、前記ノズル部から空気を送出するファンモータと、フロントパネルとを備えた手乾燥装置であって、前記乾燥室と、前記フロントパネルと、前記水受け部との３部品で外観が構成されたものである。
【０００７】
また、他の手段は、乾燥室の開口の両側面を、奥側から手前側に下向きに傾斜させたものである。
【０００８】
また、他の手段は、乾燥室の開口の両側面を、中央が凸状に形成されているものである。
【０００９】
また、他の手段は、開口の少なくとも両側面と前面を、乾燥室の奥側に向かって傾斜させた傾斜部を設けたものである。
【００１０】
また、他の手段は、前面の傾斜部を、少なくとも両側面の傾斜部に対して緩やかにしたものである。
【００１１】
また、他の手段は、乾燥室の両側面および前面側のフランジの高さを、同一の高さに形成したものである。
【００１２】
また、他の手段は、ノズル部の手前側に、前記ノズル部を覆うようなノズルカバーを設けたものである。
【００１３】
また、他の手段は、乾燥室の背面に凸部を設け、前記凸部を壁面に設けた凹部を有したリアケースに引っ掛けて固定するものである。
【００１４】
また、他の手段は、乾燥室の背面に金属性の補強板を設け、リアケースにねじ穴を設けたものである。
【００１５】
また、他の手段は、リアケースに、落下防止部材を設けたものである。
【００１６】
また、他の手段は、乾燥室をフロントパネルに重ね合わせた時に、フランジが前記フロントパネルの表面を覆う構成としたものである。
【００１７】
また、他の手段は、フロントパネルの底辺に、リアケースにねじで固定させる２箇所の固定部を設けたものである。
【発明の効果】
【００１８】
本発明によれば、外部に向かって開口した挿入口から手を抜き差しできるフランジを有した乾燥室と、前記乾燥室の底部にドレン容器を設けた水受け部と、前記水受け部に向けて空気を送出するノズル部と、前記ノズル部から空気を送出するファンモータと、フロントパネルとを備えた手乾燥装置であって、前記乾燥室と、前記フロントパネルと、前記水受け部との３部品で外観が構成されたことにより、複数の部品で構成されていても、お手入れ性とかお掃除性が向上することができるという効果のある手乾燥装置を提供することができる。
【００１９】
また、乾燥室の開口の両側面を、奥側から手前側に下向きに傾斜させたことにより、両側面に付着した水が壁側に流れないので、壁を汚すことを防ぐことができるという効果のある手乾燥装置を提供することができる。
【００２０】
また、乾燥室の開口の両側面を、中央が凸状に形成されていることにより、手から剥離した水が使用者の顔に当たらないので、使用感を向上させることができるという効果のある手乾燥装置を提供することができる。
【００２１】
また、開口の少なくとも両側面と前面を、乾燥室の奥側に向かって傾斜させた傾斜部を設けたことにより、手から剥離した水が使用者の顔により当たらないので、使用感を向上させることができるという効果のある手乾燥装置を提供することができる。
【００２２】
また、前面の傾斜部を、少なくとも両側面の傾斜部に対して緩やかにしたことにより、手から剥離した水が使用者の顔により当たらないので、使用感を向上させることができるとともに、乾燥室に挿入する手を導入させやすくすることができるという効果のある手乾燥装置を提供することができる。
【００２３】
また、乾燥室の両側面および前面側のフランジの高さを、同一の高さに形成したことにより、形状が一定になり、寸法制度や形状が一定に保つことができるという効果のある手乾燥装置を提供することができる。
【００２４】
また、ノズル部の手前側に、前記ノズル部を覆うようなノズルカバーを設けたことにより、回動しているノズルが使用者に見えないので、美観性を向上させることができるという効果のある手乾燥装置を提供することができる。
【００２５】
また、乾燥室の背面に凸部を設け、前記凸部を壁面に設けた凹部を有したリアケースに引っ掛けて固定することにより、背面を引っ掛けることにより、容易に組み立ておよび分解をすることができ、背面側からの作業をなくすことができるという効果のある手乾燥装置を提供することができる。
【００２６】
また、乾燥室の背面に金属性の補強板を設け、リアケースにねじ穴を設けたことにより、子供等がぶら下がっても、壁面から本体が脱落することなく、安全性を向上させることができるという効果のある手乾燥装置を提供することができる。
【００２７】
また、リアケースに、落下防止部材を設けたことにより、本体が壊れても、壁面から脱落しないので、安全性を向上させることができるという効果のある手乾燥装置を提供することができる。
【００２８】
また、乾燥室をフロントパネルに重ね合わせた時に、フランジが前記フロントパネルの表面を覆うことにより、乾燥室の外殻に水が付着しても、本体内に水が入ることがないので、故障を防ぐことができるという効果のある手乾燥装置を提供することができる。
【００２９】
また、フロントパネルの底辺に、リアケースにねじで固定させる２箇所の固定部を設けたことにより、少ない固定箇所で、美観性よく外殻をリアケースに固定させることができるという効果のある手乾燥装置を提供することができる。
【図面の簡単な説明】
【００３０】
【図１】本発明の実施の形態１の手乾燥装置の斜視図
【図２】同手乾燥装置の使用者と装置との関係を示す斜視図
【図３】同手乾燥装置の側面図
【図４】同手乾燥装置の側面構成図
【図５】同手乾燥装置の正面構成図
【図６】同手乾燥装置の上面からの斜視図
【図７】同手乾燥装置の乾燥室の側面構成図
【図８】同手乾燥装置の背面構成図
【図９】同手乾燥装置の乾燥室の背面構成図
【図１０】同手乾燥装置の正面構成図
【図１１】同手乾燥装置の背面構成図
【図１２】同手乾燥装置の斜視図
【図１３】同手乾燥装置のドレン容器を取り付けを示す斜視図
【発明を実施するための形態】
【００３１】
本発明の請求項１記載の手乾燥装置は、外部に向かって開口した挿入口から手を抜き差しできるフランジを有した乾燥室と、前記乾燥室の底部にドレン容器を設けた水受け部と、前記水受け部に向けて空気を送出するノズル部と、前記ノズル部から空気を送出するファンモータと、フロントパネルとを備えた手乾燥装置であって、前記乾燥室と、前記フロントパネルと、前記水受け部との３部品で外観が構成されたこととしたものであり、乾燥室を壁面に設置し、次にフロントパネルを乾燥室の下部に設け、そして最後に水受け部をフロントパネルの下部に設けるという作用を有する。
【００３２】
また、乾燥室の開口の両側面を、奥側から手前側に下向きに傾斜させたこととしたものであり、乾燥室の開口の両側面を、奥側から手前側に下向きに傾斜させ形成するという作用を有する。
【００３３】
また、乾燥室の開口の両側面を、中央が凸状に形成されていることとしたものであり、乾燥室の開口の両側面を、中央が凸状に形成するという作用を有する。
【００３４】
また、開口の少なくとも両側面と前面を、乾燥室の奥側に向かって傾斜させた傾斜部を設けたこととしたものであり、乾燥室の開口の少なくとも両側面と前面を、乾燥室の奥側すなわち下部に向かってＲ形状に傾斜させた傾斜部を設け形成するという作用を有する。
【００３５】
また、前面の傾斜部を、少なくとも両側面の傾斜部に対して緩やかにしたこととしたものであり、乾燥室の開口の少なくとも両側面と前面を、乾燥室の奥側すなわち下部に向かってＲ形状に傾斜させた傾斜部を設け形成し、前面の傾斜部を、少なくとも両側面の傾斜部に対して緩やかに形成するという作用を有する。
【００３６】
また、乾燥室の両側面および前面側のフランジの高さを、同一の高さに形成したこととしたものであり、乾燥室の両側面および前面側のフランジの高さを、同一の高さに形成し、乾燥室の内側にフロントパネルのフランジを挿入させるという作用を有する。
【００３７】
また、ノズル部の手前側に、前記ノズル部を覆うようなノズルカバーを設けたこととしたものであり、ノズル部の手前側に、ノズル部を覆うようなノズルカバーを、乾燥室の前後から挟み込んで設置するという作用を有する。
【００３８】
また、乾燥室の背面に凸部を設け、前記凸部を壁面に設けた凹部を有したリアケースに引っ掛けて固定することとしたものであり、乾燥室の背面に凸部を設け、凸部を壁面に設けた凹部を有したリアケースに引っ掛けて固定させるという作用を有する。
【００３９】
また、乾燥室の背面に金属性の補強板を設け、リアケースにねじ穴を設けたこととしたものであり、乾燥室の背面に金属性の補強板を設け、前記リアケースにねじ穴を設け、壁面に設置するという作用を有する。
【００４０】
また、リアケースに、落下防止部材を設けたこととしたものであり、リアケースに、金属性の落下防止部材すなわち部品を取り付けるという作用を有する。
【００４１】
また、乾燥室をフロントパネルに重ね合わせた時に、フランジが前記フロントパネルの表面を覆うとしたものであり、乾燥室の両側面および前面側のフランジの高さを、同一の高さに形成し、乾燥室の内側にフロントパネルのフランジを挿入させるという作用を有する。
【００４２】
また、フロントパネルの底辺に、リアケースにねじで固定させる２箇所の固定部を設けたこととしたものであり、乾燥室の両側面および前面側のフランジの高さを、同一の高さに形成し、乾燥室の内側にフロントパネルをのフランジを挿入させ、リアケースの下部を壁面にねじで固定するという作用を有する。
【００４３】
以下、本発明の実施の形態について、図面を参照しながら説明する。
【００４４】
（実施の形態１）                    
図１〜図１３に示すように、外部１に向かって開口した挿入口２から手３を抜き差しできるフランジ４を有した乾燥室５と、乾燥室５の底部６にドレン容器７を設けた水受け部８と、水受け部８に向けて空気を送出するノズル部９と、ノズル部９から空気を送出するファンモータ１０と、フロントパネル１１とを備えた手乾燥装置であって、乾燥室５と、フロントパネル１１と、水受け部８との３部品で外観が構成された構成とする。
【００４５】
上記構成により、乾燥室５を壁面１２に設置し、次にフロントパネル１１を乾燥室５の下部に設け、そして最後に水受け部８をフロントパネル１１の下部に設ける。
【００４６】
このように、複数の部品で構成されていても、お手入れ性とかお掃除性が向上することができることとなる。
【００４７】
また、乾燥室５の開口の両側面１３を、奥側１４から手前側１５に下向きに傾斜１６させた構成とする。      
【００４８】
上記構成により、乾燥室５の開口の両側面１３を、奥側１４から手前側１５に下向きに傾斜１６させ形成する。        
【００４９】
このように、両側面に付着した水が壁側に流れないので、壁を汚すことを防ぐことができることとなる。
【００５０】
また、乾燥室５の開口の両側面１３を、中央が凸状１７に形成されている構成とする。
【００５１】
上記構成により、乾燥室５の開口の両側面１３を、中央が凸状１７に形成する。
【００５２】
このように、手から剥離した水が使用者１８の顔に当たらないので、使用感を向上させることができることとなる。
【００５３】
また、開口の少なくとも両側面１３と前面１９を、乾燥室５の奥側１４に向かって傾斜させた両面傾斜部２０、前面傾斜部２１を設けた構成とする。
【００５４】
上記構成により、乾燥室５の開口の少なくとも両側面１３と前面１９を、乾燥室５の奥側１４すなわち下部に向かってＲ形状２２に傾斜させた傾斜部、すなわち、両面傾斜部２０、前面傾斜部２１を設け形成する。        
【００５５】
このように、手から剥離した水が使用者の顔により当たらないので、使用感を向上させることができることとなる。
【００５６】
また、前面１９の前面傾斜部２１を、少なくとも両側面１３の両面傾斜部２０に対して緩やかにした構成とする。    
【００５７】
上記構成により、乾燥室５の開口の少なくとも両側面１３と前面１９を、乾燥室５の奥側１４すなわち下部に向かってＲ形状２２に傾斜させた傾斜部を設け形成し、前面１９の傾斜部すなわち前面傾斜部２１を、少なくとも両側面の傾斜部すなわち両面傾斜部２０に対して緩やかに形成する。          
【００５８】
このように、手から剥離した水が使用者の顔により当たらないので、使用感を向上させることができるとともに、乾燥室に挿入する手を導入させやすくすることができることとなる。
【００５９】
また、乾燥室５の両側面１３および前面１９側のフランジ４の高さを、同一の高さに形成した構成とする。
【００６０】
上記構成により、乾燥室５の両側面１３および前面１９側のフランジ４の高さを、同一の高さに形成し、乾燥室５の内側にフロントパネル１１のフランジ３１を挿入させる。
【００６１】
このように、形状が一定になり、寸法制度や形状が一定に保つことができることとなる。
【００６２】
また、ノズル部９の手前側に、ノズル部９を覆うようなノズルカバー２３を設けた構成とする。        
【００６３】
上記構成により、ノズル部９の手前側に、ノズル部９を覆うようなノズルカバー２３を、乾燥室５の前後から挟み込んで設置する。
【００６４】
このように、回動しているノズルが使用者に見えないので、美観性を向上させることができることとなる。
【００６５】
また、乾燥室５の背面２４に凸部２５を設け、凸部２５を壁面１２に設けた凹部２６を有したリアケース２７に引っ掛けて固定する構成とする。    
【００６６】
上記構成により、乾燥室５の背面２４に凸部２５を設け、凸部２５を壁面１２に設けた凹部２６を有したリアケース２７に引っ掛けて固定させる。
【００６７】
このように、背面を引っ掛けることにより、容易に組み立ておよび分解をすることができ、背面側からの作業をなくすことができることとなる。
【００６８】
また、乾燥室５の背面２４に金属性の金属補強板２８を設け、リアケース２７にねじ穴２９を設けた構成とする。    
【００６９】
上記構成により、乾燥室５の背面２４に金属性の金属補強板２８を設け、リアケース２７にねじ穴２９を設け、壁面１２に設置する。          
【００７０】
このように、子供等がぶら下がっても、壁面から本体が脱落することなく、安全性を向上させることができることとなる。
【００７１】
また、リアケース２７に、落下防止部材３０を設けた構成とする。
【００７２】
上記構成により、リアケース２７に、金属性の落下防止部材３０すなわち部品を取り付ける。            
【００７３】
このように、本体が壊れても、壁面から脱落しないので、安全性を向上させることができることとなる。
【００７４】
また、乾燥室５をフロントパネル１１に重ね合わせた時に、フランジ４がフロントパネル１１の表面を覆う構成とする。      
【００７５】
上記構成により、乾燥室５の両側面１３および前面１９側のフランジ４の高さを、同一の高さに形成し、乾燥室５の内側にフロントパネルのフランジ３１を挿入させる。
【００７６】
このように、乾燥室の外殻に水が付着しても、本体内に水が入ることがないので、故障を防ぐことができることとなる。
【００７７】
また、フロントパネル１１の底辺に、リアケース２７にねじ３２で固定させる２箇所の固定部３３を設けた構成とする。      
【００７８】
上記構成により、乾燥室５の両側面１３および前面１９側のフランジ４の高さを、同一の高さに形成し、乾燥室５の内側にフロントパネル１１のフランジ３１を挿入させ、リアケース２７の下部を壁面にねじ３２で固定する。  
【００７９】
このように、少ない固定箇所で、美観性よく外殻をリアケースに固定させることができることとなる。
【産業上の利用可能性】
【００８０】
本発明の手乾燥装置は、レストランやホテルなどの洗面所やトイレに設置され、また病院や手術室や調理場においても適用される。
【符号の説明】
【００８１】
１    外部
２    挿入口
３    手
４    フランジ
５    乾燥室
６    底部
７    ドレン容器
８    水受け部
９    ノズル部
１０  ファンモータ
１１  フロントパネル
１２  壁面
１３  両側面
１４  奥側
１５  手前側
１６  傾斜
１７  凸状
１８  使用者
１９  前面
２０  両面傾斜部
２１  前面傾斜部
２２  Ｒ形状
２３  ノズルカバー
２４  背面
２５  凸部
２６  凹部
２７  リアケース
２８  金属補強板
２９  ねじ穴
３０  落下防止部材
３１  フランジ
３２  ねじ
３３  固定部
【図１】
2011019734.tif 000003
【図２】
2011019734.tif 000004
【図３】
2011019734.tif 000005
【図４】
2011019734.tif 000006
【図５】
2011019734.tif 000007
【図６】
2011019734.tif 000008
【図７】
2011019734.tif 000009
【図８】
2011019734.tif 000010
【図９】
2011019734.tif 000011
【図１０】
2011019734.tif 000012
【図１１】
2011019734.tif 000013
【図１２】
2011019734.tif 000014
【図１３】
2011019734.tif 000015